(57)【要約】【課題】  駆動コイルを積層してレンズホルダ上に配置した場合でも、駆動コイルと駆動マグネットとの間隔を一定にすることにできる光ヘッド装置を提案すること。【解決手段】  光ヘッド装置１において、フォーカシング駆動コイル１８は、一対のチルト駆動コイル１７の双方に重なるようにチルト駆動コイル１７の上に積層され、このフォーカシング駆動コイル１８の内周側からはフォーカシング駆動コイル１８の下側を通って第１のコイル線１８１が引き出されている。但し、第１のコイル線１８１は、一対のチルト駆動コイル１７の間に形成されたレンズホルダ１１の凹部１１０を通して引き出されているため、フォーカシング駆動コイル１８は、第１のコイル線１８１が通っている部分が盛り上がった状態、あるいは部分的に浮き上がって傾いた状態となることがない。【選択図】  図２
2007018555.tif 000002
【特許請求の範囲】
【請求項１】
対物レンズを保持するレンズホルダと、該レンズホルダを変位可能に支持するホルダ支持部材と、前記レンズホルダの側に配置された複数の駆動コイル、および固定側部材の側で前記駆動コイルに対向する駆動マグネットを備えた磁気駆動機構とを有する光ヘッド装置において、
前記複数の駆動コイルには、前記レンズホルダ上に所定の間隔を空けて配置された一対の下段側駆動コイルと、該一対の下段側駆動コイルの双方に重なるように当該一対の下段側駆動コイル上に積層された上段側駆動コイルとが含まれ、
前記上段側駆動コイルの内周側からは当該上段側駆動コイルの下側を通って第１のコイル線が引き出されている一方、当該上段側駆動コイルの外周側からは第２のコイル線が引き出され、
前記第１のコイル線は、前記一対の下段側駆動コイルの間を通って前記上段側駆動コイルから引き出されていることを特徴とする光ヘッド装置。
【請求項２】
請求項１において、前記レンズホルダには、前記一対の下段側駆動コイルの間に、前記第１のコイル線が内側に通された凹部が形成されていることを特徴とする光ヘッド装置。
【請求項３】
請求項２において、前記凹部には、前記一対の下段側駆動コイルのうちの一方の下段側駆動コイルの外周側から他方の下段側駆動コイルの内周側に向かう中継用コイル線が通されていることを特徴とする光ヘッド装置。
【請求項４】
請求項１ないし３のいずれかにおいて、前記駆動マグネットは、前記一対の下段側駆動コイルおよび前記上段側駆動コイルの双方に対向していることを特徴とする光ヘッド装置。
【請求項５】
請求項１ないし４のいずれかにおいて、前記一対の下段側駆動コイルは、前記レンズホルダをチルト方向に駆動するためのチルト駆動コイルであり、前記上段側駆動コイルは、前記レンズホルダをフォーカシング方向に駆動するためのフォーカシング駆動コイルであることを特徴とする光ヘッド装置。
【発明の詳細な説明】
【技術分野】
【０００１】
本発明は、対物レンズを保持したレンズホルダを磁気駆動機構によって駆動する光ヘッド装置に関するものである。
【背景技術】
【０００２】
ＣＤやＤＶＤなどの光記録ディスクの記録、再生等に用いられる光ヘッド装置としては、対物レンズを保持したレンズホルダをワイヤによって支持したワイヤサスペンション方式の対物レンズ駆動装置を備えた光ヘッド装置が知られており、かかる光ヘッド装置では、レンズホルダの側に配置された駆動コイルと、固定側部材の側で当該駆動コイルに対向する駆動マグネットとによって、レンズホルダをトラッキング方向およびフォーカシング方向に駆動する磁気駆動機構が用いられている。
【０００３】
また、光ヘッド装置の磁気駆動機構として、高速化対応、小型化、高域周波数での位相回り改善のために、内ヨークを無くして、分割着磁した共通の駆動マグネットによってレンズホルダを駆動するものが知られている（例えば、特許文献１参照）。
【０００４】
上記特許文献に開示されている光ヘッド装置は、レンズホルダをフォーカシング方向およびトラッキング方向に駆動する２軸駆動タイプのものであるが、チルト方向にも駆動可能な３軸駆動タイプの磁気駆動機構を備えた光ヘッド装置があり、このような駆動を行う場合、例えば、レンズホルダに一対のチルト駆動コイルを配置するとともに、これらのチルト駆動コイルの上面にフォーカシング駆動コイルを重ねて配置すれば、駆動マグネットを配置するスペースを圧縮でき、さらには駆動マグネットを共通化することもできる。
【特許文献１】特開２００５−６３６１８号公報
【発明の開示】
【発明が解決しようとする課題】
【０００５】
このような光ヘッド装置に用いられる駆動コイルは、一般的に、所定形状の凸部にコイル線を内周側から外周側に向けて扁平に巻回した後、駆動コイルを凸部から外すことにより製造される。このため、駆動コイルの一方側の端面（コイル線の巻回時に下面だった面）では、コイル線の巻き始め部分が駆動コイルの内周側からが第１のコイル線として引き出され、コイル線の巻き終わり部分は、駆動コイルの外周側から第２のコイル線として引き出されている。このため、駆動コイルの一方側の端面を、先にレンズホルダに接着固定した他の駆動コイル（下段側駆動コイル）の上面に対して接着固定すると、上段側駆動コイルの下で第１のコイル線が通っている部分が盛り上がった状態、あるいは上段側駆動コイルが部分的に浮き上がって傾いた状態となってしまう。その結果、上段側駆動コイルと駆動マグネットとの間隔（磁気ギャップ）がばらつき、対物レンズの駆動感度が低下するという問題点がある。このような問題は、駆動コイルの一方側端面をレンズホルダに接着固定する場合でも同様に発生するが、このような場合にはレンズホルダに第１のコイル線を通す凹部を形成すれば解消できるのに対して、駆動コイルを２段に積層する場合、下段側駆動コイルに凹部を形成することが不可能であるため、従来、解消するのが困難であるとされていた課題である。
【０００６】
以上の問題点に鑑みて、本発明の課題は、駆動コイルを積層してレンズホルダ上に配置した場合でも、駆動コイルと駆動マグネットとの間隔を一定にすることにできる光ヘッド装置を提案することにある。
【課題を解決するための手段】
【０００７】
上記課題を解決するために、本発明では、対物レンズを保持するレンズホルダと、該レンズホルダを変位可能に支持するホルダ支持部材と、前記レンズホルダの側に配置された複数の駆動コイル、および固定側部材の側で前記駆動コイルに対向する駆動マグネットを備えた磁気駆動機構とを有する光ヘッド装置において、前記複数の駆動コイルには、前記レンズホルダ上に所定の間隔を空けて配置された一対の下段側駆動コイルと、該一対の下段側駆動コイルの双方に重なるように当該一対の下段側駆動コイル上に積層された上段側駆動コイルとが含まれ、前記上段側駆動コイルの内周側からは当該上段側駆動コイルの下側を通って第１のコイル線が引き出されている一方、当該上段側駆動コイルの外周側からは第２のコイル線が引き出され、前記第１のコイル線は、前記一対の下段側駆動コイルの間を通って前記上段側駆動コイルから引き出されていることを特徴とする。
【０００８】
本発明において、上段側駆動コイルは、一対の下段側駆動コイルに重なるように下段側駆動コイル上に積層され、この上段側駆動コイルの内周側からは上段側駆動コイルの下側を通って第１のコイル線が引き出されている。ここで、一対の下段側駆動コイルの間には、その厚さに相当する分だけ溝状に凹んでおり、本形態では、第１のコイル線を、一対の下段側駆動コイルの間を通して引き出している。このため、上層側駆動コイルは、第１のコイル線が通っている部分が盛り上がった状態、あるいは部分的に浮き上がって傾いた状態となることがないので、上段側駆動コイルと、上段側駆動コイルに対向する駆動マグネットとの間において、その隙間寸法（磁気ギャップ）が一定である。それ故、本発明によれば、下段側駆動コイルの上に上段側駆動コイルを積層した場合でも、対物レンズの駆動感度が高い。
【０００９】
本発明において、前記レンズホルダには、前記一対の下段側駆動コイルの間に、前記第１のコイル線が内側に通された凹部が形成されていることが好ましい。すなわち、一対の下段側駆動コイルの間ではレンズホルダが露出しているので、このレンズホルダの露出部分に対して、第１のコイル線を通す凹部を形成しておく。このように構成すると、第１のコイル線が下段側駆動コイルの上に重なった状態となることがないので、上層側駆動コイルにおいて第１のコイル線が通っている部分が盛り上がった状態、あるいは上層側駆動コイルが部分的に浮き上がって傾いた状態となることを確実に防止できる。それ故、上段側駆動コイルと、上段側駆動コイルに対向する駆動マグネットとの間において、その隙間寸法を確実に一定にすることができる。
【００１０】
本発明において、前記凹部には、前記一対の下段側駆動コイルのうちの一方の下段側駆動コイルの外周側から他方の下段側駆動コイルの内周側に向かう中継用コイル線が通されていることが好ましい。下段側駆動コイルにおいても、上段側駆動コイルと同様、一方の下段側駆動コイルの外周側から他方の下段側駆動コイルの内周側に向かう中継用コイル線が、他方の下段側駆動コイルの下側を通るので、中継用コイル線が通る部分と重なるように前記凹部を形成しておき、かかる凹部の内側に中継用コイル線を通せば、下段側駆動コイルにおいて中継用コイル線が通っている部分が盛り上がった状態、あるいは下段側駆動コイルが部分的に浮き上がって傾いた状態となってしまうことを回避できる。従って、下段側駆動コイルと駆動マグネットとの間の隙間寸法を確実に一定にすることができる。
【００１１】
本発明において、前記駆動マグネットは、前記一対の下段側駆動コイルおよび前記上段側駆動コイルの双方に対向していることが好ましい。すなわち、前記駆動マグネットにおいて、駆動コイルと対向する面は、所定のパターンに分極着磁されていることにより、共通の駆動マグネットとして用いられていることが好ましい。
【００１２】
本発明において、前記一対の下段側駆動コイルは、例えば、前記レンズホルダをチルト方向に駆動するためのチルト駆動コイルであり、前記上段側駆動コイルは、例えば、前記レンズホルダをフォーカシング方向に駆動するためのフォーカシング駆動コイルである。
【発明の効果】
【００１３】
本発明においては、第１のコイル線を、一対の下段側駆動コイルの間を通して引き出しているため、上層側駆動コイルは、第１のコイル線が通っている部分が盛り上がった状態、あるいは部分的に浮き上がって傾いた状態となることがない。従って、上段側駆動コイルと、上段側駆動コイルに対向する駆動マグネットとの間において、その隙間寸法（磁気ギャップ）が一定であるので、下段側駆動コイルの上に上段側駆動コイルを積層した場合でも、対物レンズの駆動感度が高い。
【発明を実施するための最良の形態】
【００１４】
以下に、図面を参照して、本発明を適用した光ヘッド装置の一例を説明する。
【００１５】
（全体構成）
図１（ａ）、（ｂ）は、本発明を適用した光ヘッド装置の要部の構成を示す平面図、およびその側面図である。図１（ａ）、（ｂ）に示す光ヘッド装置１は、ＣＤあるいはＤＶＤなどの光記録ディスク（光記録媒体）に対する情報記録、情報再生を行うものであり、レーザ光源から出射されたレーザ光が対物レンズ４で集光されて光記録ディスクの情報記録面に焦点を結ぶように構成されている。対物レンズ４は、例えば、レンズホルダ１１の上面中央位置に保持され、以下に説明する対物レンズ駆動装置１０によって、フォーカシング方向、トラッキング方向、およびチルト方向に駆動される。
【００１６】
対物レンズ駆動装置１０は、対物レンズ４を中央のレンズ保持部４０で保持しているレンズホルダ１１と、レンズホルダ１１の左右両側で上下３段に配置された６本のワイヤ１２によりレンズホルダ１１を変位可能に支持するホルダ支持部材１３と、レンズホルダ１１を矢印Ｔｒで示すトラッキング方向、矢印Ｆｏで示すフォーカシング方向、および矢印Ｔｉで示すチルト方向に駆動するための磁気駆動機構１４とを有している。６本のワイヤ１２は各々、後述するフォーカシング駆動コイル１８、トラッキング駆動コイル１９、およびチルト駆動コイル１７への給電ワイヤとして用いられている。このため、ワイヤ１２の基端側は、ホルダ支持部材１３の背面に取り付けた例えばプリント基板１３０の配線パターンにハンダ等により各々固定され、ワイヤ１２の先端側は、レンズホルダ１１の左右両側に固着されている中継基板１６にハンダにより固定されている。
【００１７】
（磁気駆動機構１４の構成）
図２は、レンズホルダ１１をワイヤ１２の基端側からみたときの構造を拡大して示す斜視図である。図３（ａ）および（ｂ）はそれぞれ、駆動マグネット２１の平面図、および駆動マグネット２１と駆動コイル１７〜１９との位置関係を示す正面図である。なお、以下に説明する駆動コイル１７〜１９および駆動マグネット２１は、トラッキング方向と直交する方向においてレンズホルダ１１の両側（一方の端面１１１の側および他方の端面１１２の側）に同一の構成をもって配置されているため、その一方側に構成されている駆動コイル１７〜１９および駆動マグネット２１のみを説明する。
【００１８】
図１、図２および図３（ａ）、（ｂ）に示すように、磁気駆動機構１４は、レンズホルダ１１の一方側の端面１１１の側に、１つのフォーカシング駆動コイル１８、トラッキング方向に配置された一対のトラッキング駆動コイル１９と、トラッキング方向に配置された一対のチルト駆動コイル１７を有する一方、ヨーク２２（固定側部材）の側には、これらの駆動コイル１７〜１９に鎖交する磁束を発生させることにより、トラッキング用、フォーカシング用、およびチルト用の磁気駆動回路を構成する共通駆動マグネット２１を有している。ヨーク２２は磁性鋼板から形成されており、共通駆動マグネット２１は、ヨーク２２の底板部２２１を外側から切り起こしたマグネット保持部２２２の内面に固着されている。このようにして、共通駆動マグネット２１は、各駆動コイル１７〜１９に対向している。
【００１９】
フォーカシング駆動コイル１８は、扁平な巻き線型コイルであり、銅線あるいはアルミクラッド線を台形状に巻回して形成されている。フォーカシング駆動コイル１８は、２つの斜辺部１８６、上底に相当する短辺部１８７、および下底に相当する長辺部１８８を備えた左右対称な略台形状を備えている。
【００２０】
一対のトラッキング駆動コイル１９も、フォーカシング駆動コイル１８と同様、扁平な巻き線型コイルであり、銅線あるいはアルミクラッド線を台形状に巻回して形成されている。トラッキング駆動コイル１９は、２つの斜辺部１９６、上底に相当する短辺部１９７、および下底に相当する長辺部１９８を備えた上下対称な略台形状を備えている。
【００２１】
一対のチルト駆動コイル１７も、フォーカシング駆動コイル１８と同様、扁平な巻き線型コイルであるが、銅線あるいはアルミクラッド線を略四角形状に巻回して形成されている。
【００２２】
このように構成した３種類の駆動コイル１７〜１９のうち、一対のチルト駆動コイル１７は、レンズホルダ１１におけるトラッキング方向Ｔｒに直交する方向における一方側の端面１１１に対してトラッキング方向Ｔｒに所定の間隔を空けて接着等により固定されている。
【００２３】
一対のトラッキング駆動コイル１９は、レンズホルダ１１の端面１１１のうち、チルト駆動コイルの斜め上方位置に接着等により固定されている。
【００２４】
フォーカシング駆動コイル１８は、一対のチルト駆動コイル１７の双方に重なるように一対のチルト駆動コイル１７の上に積層されている。従って、本形態では、一対のチルト駆動コイル１７が下段側駆動コイルとなっており、フォーカシング駆動コイル１８が上段側駆動コイルとなっている。
【００２５】
また、フォーカシング駆動コイル１８は、短辺部１８７および長辺部１８８がトラッキング方向Ｔｒに平行となるように配置され、短辺部１８７がフォーカシング方向Ｆｏの上側に、長辺部１８８がフォーカシング方向Ｆｏの下側にそれぞれ位置している。これに対して、一対のトラッキング駆動コイル１９は、短辺部１９７、および長辺部１９８がフォーカシング方向Ｆｏに平行となるように配置されているため、トラッキング駆動コイル１９の斜辺部１９６とフォーカシング駆動コイル１８の斜辺部１８６とが隣接している。
【００２６】
図３（ａ）、（ｂ）に示すように、共通駆動マグネット２１は、直方体状に形成されており、各駆動コイル１７〜１９との着磁対向面２１０は、縦線部２１１、２１２と、横線部２１３とからなる略Ｕ字形状の磁極分割線２１５によって分極着磁されている。着磁対向面２１０では、磁極分割線２１５の外側のＵ形状部分がＳ極に着磁され、磁極分割線２１５の内側の矩形状部分がＮ極に着磁されている。なお、共通駆動マグネット２１は、その厚さ方向にも分極着磁されている。
【００２７】
このように構成した共通駆動マグネット２１に対して、フォーカシング駆動コイル１８は、磁極分割線２１５の横線部２１３を跨ぐようにして、共通駆動マグネット２１の着磁対向面２１０に対向して配置されている。より具体的には、フォーカシング駆動コイル２１は、その図示上下方向の中心線と磁極分割線２１５の横線部２１３とがほぼ一致するように配置され、短辺部１８７と長辺部１８８とが異なる磁極と対向するように配置されている。従って、フォーカシング駆動時には、短辺部１８７および長辺部１８８の２辺が有効辺として機能する。
【００２８】
一対のトラッキング駆動コイル１９は、磁極分割線２１５の縦線部２１１、２１２を跨ぐようにして、共通駆動マグネット２１の着磁対向面２１０に対向して配置されている。より具体的には、トラッキング駆動コイル１９は、その図示左右方向の中心線と磁極分割線２１５の縦線部２１１、２１２とがほぼ一致するように配置され、短辺部１９７と長辺部１９８とが異なる磁極と対向するように配置されている。従って、トラッキング駆動時には、短辺部１９７および長辺部１９８の２辺が有効辺として機能する。
【００２９】
一対のチルト駆動コイル１７も、磁極分割線２１５の横線部２１３を跨ぐようにして、共通駆動マグネット２１の着磁対向面２１０に対向して配置されている。より具体的には、チルト駆動コイル１７は、その図示上下方向の中心線と磁極分割線２１５の横線部２１３がほぼ一致するように配置され、上辺部１７６と下辺部１７７とが異なる磁極と対向するように配置されている。従って、チルト駆動時には、上辺部１７６および下辺部１７７の２辺が有効辺として機能する。
【００３０】
（駆動コイルの搭載構造）
図４、図５および図６を参照して、本形態の光ヘッド装置１における駆動コイルの搭載構造を説明する。図４は（ａ）、（ｂ）、（ｃ）はそれぞれ、駆動コイルの平面図、上面図および側面図である。図５は、本形態の光ヘッド装置１における駆動コイル１７〜１９からのコイル線の引き出し構造を示す正面図である。図６（ａ）〜（ｄ）はそれぞれ、本形態の光ヘッド装置１の製造工程においてレンズホルダに駆動コイルの搭載していく手順を示す説明図である。なお、図５には、チルト駆動コイル１７を点線で示し、フォーカシング駆動コイル１８を一点鎖線で示し、トラッキング駆動コイル１９を二点鎖線で示してある。
【００３１】
図４（ａ）、（ｂ）、（ｃ）に示すように、本形態において、フォーカシング駆動コイル１８は、扁平な空芯コイルであり、このようなフォーカシング駆動コイル１８は、一般的に、所定形状の凸部にコイル線を内周側から外周側に向けて扁平に巻回した後、フォーカシング駆動コイル１８を凸部から外すことにより製造される。このため、フォーカシング駆動コイル１８の一方側の端面１８９（コイル線の巻回時に下面だった面）では、コイル線の巻き始め部分がフォーカシング駆動コイル１８の内周側から第１のコイル線１８１として引き出され、コイル線の巻き終わり部分は、フォーカシング駆動コイル１８の外周側から第２のコイル線１８２として引き出されている。従って、フォーカシング駆動コイル１８の一方側の端面１８９を、先にレンズホルダ１１に接着固定したチルト駆動コイル１７（下段側駆動コイル）の上面に対して接着固定すると、図２、図４（ａ）、（ｂ）、（ｃ）、および図５に示すように、上に積層したフォーカシング駆動コイル１８（上段側駆動コイル）の下を第１のコイル線１８１が通ることになる。
【００３２】
このような構成は、トラッキング駆動コイル１９やチルト駆動コイル１７でも同様である。このため、例えば、一対のチルト駆動コイル１７をレンズホルダ１１に接着固定すると、一対のチルト駆動コイル１７のうちの一方のチルト駆動コイル１７の外周側から他方のチルト駆動コイル１７の内周側に向かう中継用コイル線１７０は、チルト駆動コイル１７の下を通ることになる。
【００３３】
そこで、本形態では、レンズホルダ１１に対して、一対のチルト駆動コイル１７の間に相当する部分に凹部１１０を形成し、この凹部１１０の内側を通して、フォーカシング駆動コイル１８の内周側から引き出された第１のコイル線１８１を引き回している。このようにして引き出された第１のコイル線１８１はレンズホルダ１１の側面を引き回され、第１のコイル線１８１の端部は中継基板１６に接続されることになる。これに対して、フォーカシング駆動コイル１８の外周側から引き出された第２のコイル線１８２は、そのままレンズホルダ１１の反対側の側面を引き回され、第２のコイル線１８２の端部は別の中継基板１６に接続される。
【００３４】
また、一対のチルト駆動コイル１７を接続する中継用コイル線１７０も凹部１１０の内側を通されており、中継用コイル線１７０は、凹部１１０の内側を通って一方のチルト駆動コイル１７ａの外周側から他方のチルト駆動コイル１７ｂの内周側に引き回されている。
【００３５】
このような構成を、図６を参照してレンズホルダに駆動コイルを搭載していく方法を説明しながら詳述する。まず、図６（ａ）に示すように、レンズホルダ１１の端面１１１には、一対のチルト駆動コイル１７を配置する領域の間に凹部１１０が形成され、この凹部１１０は、一対のチルト駆動コイル１７を配置する領域、およびフォーカシング駆動コイル１８を搭載する領域の双方に対して部分的に重なっている。また、レンズホルダ１１の端面１１１において、チルト駆動コイル１７を配置する領域には、その空芯部分が嵌る凸部１１６が形成され、トラッキング駆動コイル１９を配置する領域には、その空芯部分が嵌る凸部１１７が形成されている。なお、このような構成は、レンズホルダ１１の反対側の端面１１２でも同様である。
【００３６】
次に、図６（ｂ）に示すように、空芯部分が凸部１１６に嵌るように、一対のチルト駆動コイル１７をレンズホルダ１１に接着固定する。その際、一対のチルト駆動コイル１７において、一方のチルト駆動コイル１７ａの外周側から他方のチルト駆動コイル１７ｂの内周側に向かう中継用コイル線１７０を凹部１１０の内側に通す。また、一方のチルト駆動コイル１７ａの内周側から引き出されたコイル線、および他方のチルト駆動コイル１７ｂから引き出されたコイル線については各々、中継基板１６に向けて引き回し、端部を中継基板１６に半田付けする。
【００３７】
次に、図６（ｃ）に示すように、空芯部分が凸部１１７に嵌るように、一対のトラッキング駆動コイル１９をレンズホルダ１１に接着固定する。また、トラッキング駆動コイル１９から引き出された２本のコイル線については各々、中継基板１６に向けて引き回し、端部を中継基板１６に半田付けする。
【００３８】
次に、図６（ｄ）に示すように、一対チルト駆動コイル１７の双方に重なるように一対のチルト駆動コイル１７の上にフォーカシング駆動コイル１８を接着固定する。その際、フォーカシング駆動コイル１８の内周側から引き出された第１のコイル線１８１については、長辺部１８８の中央部分まで巻き戻し、第１のコイル線１８１を凹部１１０の内側に通して、中継基板１６に向けて引き回し、端部を中継基板１６に半田付けする。なお、フォーカシング駆動コイル１８の外周側から引き出された第２のコイル線１８２については、そのまま中継基板１６に向けて引き回し、端部を中継基板１６に半田付けする。
【００３９】
（本形態の主な効果）
以上説明したように、本形態の光ヘッド装置１において、フォーカシング駆動コイル１８（上段側駆動コイル）は、一対のチルト駆動コイル１７（下段側駆動コイル）の双方に重なるようにチルト駆動コイル１７の上に積層され、このフォーカシング駆動コイル１８の内周側からはフォーカシング駆動コイル１８の下側を通って第１のコイル線１８１が引き出されている。但し、第１のコイル線１８１は、一対のチルト駆動コイル１７の間に形成された凹部１１０を通して引き出されているため、フォーカシング駆動コイル１８は、第１のコイル線１８１が通っている部分が盛り上がった状態、あるいは部分的に浮き上がって傾いた状態となることがないので、フォーカシング駆動コイル１８と共通駆動マグネット２１との間において、その隙間寸法（磁気ギャップ）が一定である。それ故、本形態によれば、チルト駆動コイル１７の上にフォーカシング駆動コイル１８を積層した場合でも、対物レンズ４の駆動感度が高い。
【００４０】
また、凹部１１０には、一対のチルト駆動コイル１７において一方のチルト駆動コイル１７ａの外周側から他方のチルト駆動コイル１７ｂの内周側に向かう中継用コイル線１７０も通されている。ここで、中継用コイル線１７０は、チルト駆動コイル１７ｂの下側を通るが、凹部１１０の内側を通っているので、チルト駆動コイル１７ｂにおいて中継用コイル線１７０が通っている部分が盛り上がった状態、あるいはチルト駆動コイル１７が部分的に浮き上がって傾いた状態となってしまうことを回避できる。従って、下段側のチルト駆動コイル１７、および上段側のフォーカシング駆動コイル１８と、これらの駆動コイル１８、２０と対向する共通駆動マグネット２１との間においても、その隙間寸法（磁気ギャップ）を確実に一定にすることができる。
【００４１】
［その他の実施の形態］
上記形態では、一対のチルト駆動コイル１７の間ではレンズホルダ１１が露出しているので、このレンズホルダ１１の露出部分に対して、第１のコイル線１８１を通す凹部１１０を形成したが、一対のチルト駆動コイル１７の間では、チルト駆動コイル１７の厚さに相当する溝が形成されている。従って、レンズホルダ１１に凹部１１０を形成せず、チルト駆動コイル１７の間に形成された溝に第１のコイル線１８１を通すことにより、フォーカシング駆動コイル１８が盛り上がった状態、あるいは部分的に浮き上がって傾いた状態となることを防止してもよい。
【００４２】
また、上記形態では、チルト駆動コイル１７の上にフォーカシング駆動コイル１８を積層した例を説明したが、例えば、トラッキング駆動コイル１９の上にフォーカシング駆動コイル１８を積層した場合などにおいて本発明を適用してもよい。
【図面の簡単な説明】
【００４３】
【図１】（ａ）、（ｂ）は、本発明を適用した光ヘッド装置の要部の構成を示す平面図、およびその側面図である。
【図２】本発明を適用した光ヘッド装置において、レンズホルダをワイヤの基端側からみたときの構造を拡大して示す斜視図である。
【図３】（ａ）、（ｂ）はそれぞれ、本発明を適用した光ヘッド装置において、駆動マグネットを示す平面図、および駆動コイルと駆動マグネットとの位置関係を示す正面図である。
【図４】（ａ）、（ｂ）、（ｃ）はそれぞれ、本発明を適用した光ヘッド装置に用いた駆動コイルの平面図、上面図および側面図である。
【図５】本発明を適用した光ヘッド装置おける駆動コイルからのコイル線の引き出し構造を示す正面図である。
【図６】本発明を適用した光ヘッドの製造工程においてレンズホルダに駆動コイルの搭載していく手順を示す説明図である。
【符号の説明】
【００４４】
１  光ヘッド装置
４  対物レンズ
１０  対物レンズ駆動装置
１１  レンズホルダ
１２  ワイヤ
１３  ホルダ支持部材
１４  磁気駆動機構
１７  チルト駆動コイル
１８  フォーカシング駆動コイル
１９  トラッキング駆動コイル
２１  駆動マグネット
２２  ヨーク（固定側部材）
１１０  凹部
１７０  中継用コイル線
１８１  第１のコイル線
１８２  第２のコイル線
【図１】
2007018555.tif 000003
【図２】
2007018555.tif 000004
【図３】
2007018555.tif 000005
【図４】
2007018555.tif 000006
【図５】
2007018555.tif 000007
【図６】
2007018555.tif 000008